(57)【要約】【課題】発汗条件の変動に過不足なく対応する換気性能の確保が可能なニット帽を提供する。【解決手段】ニット帽１は、内ニット帽３と、この内ニット帽３に被さる外ニット帽２とを有し、各ニット帽２，３を互いの頂点で縦軸Ｃまわりの相対回動自在に連結する連結手段４と、各ニット帽２，３それぞれの頭頂部７に設けた多数の換気口８ａ１，８ａ２からなるベンチレータ８と、を備え、このベンチレータ８は、各ニット帽２，３の縦軸Ｃまわりの相対回動で開閉するように構成されており、発汗条件の変動に応じてベンチレータ８の開度を調節することで、発汗条件の変動に過不足なく対応する換気性能を確保して、換気不足による頭部の蒸れやべた付き、或いは換気過剰による寒さの体感などを避ける。【選択図】図１
0003209098.tif 000002
【実用新案登録請求の範囲】
【請求項１】
内ニット帽と、この内ニット帽に被さる外ニット帽と、を有し、前記各ニット帽を互いの頂点で縦軸まわりの相対回動自在に連結する連結手段と、前記各ニット帽それぞれの頭頂部の一部に設けた換気口からなるベンチレータと、を備え、このベンチレータは、前記各ニット帽の縦軸まわりの相対回動で開閉するように構成されてなることを特徴とするニット帽。
【請求項２】
請求項１に記載したニット帽において
前記連結手段部に含まれる連結部材は、内ニット帽の頂点に固着された下側連結部材と、外ニット帽の頂点に固着された上側連結部材と、からなり、これらの連結部材は、互いの合体・分離が可能に構成されているニット帽。
【請求項３】
請求項２に記載したニット帽において
前記下側連結部材と上側連結部材は、上下の位置を互いに反転した合体・分離が可能に構成されているニット帽。
【請求項４】
請求項１乃至請求項３のいずれか１項に記載したニット帽において
前記内ニット帽と外ニット帽とに振り分けて設けた位置決め用目印により、ベンチレータの開度表示装置が構成されてなるニット帽。
【考案の詳細な説明】
【技術分野】
【０００１】
本考案はニット帽に係り、詳しくは、普段の生活での着用、ウォーキングやジョギングに際しての着用或いはスキー、スノーボード、登山等のスポーツに際してヘルメットの下に被るインナーキャップとしての着用等の広範囲の着用に好適なニット帽に関する。
【背景技術】
【０００２】
従来、この種のニット帽として、例えば、特許文献１に記載のものが提供されている。
【０００３】
前記特許文献１に記載のニット帽を図８に示す。この図において、ニット帽１０は、下段の裾リブ編み層１１と、その上側に連設された中段のガータ編み層１２と、その上側にさらに連設されたメッシュ編み層からなる頭頂部１３と、を備えたものである。
【０００４】
このような構成のニット帽１０によれば、メッシュ編み層からなる頭頂部１３の換気性能により、着用者頭部の発汗を積極的に発散して頭部の蒸れやべた付きなどを抑制し、頭皮や毛根の保護を図ることができる。
【０００５】
しかし、この種のニット帽１０の換気性能は、頭頂部１３のメッシュ（１平方インチあたりの編み目の数）で決定される不変のものである。そのため、ニット帽１０の着用前に気温や運動量などの発汗条件の変動が予測されても、或いは着用後に発汗条件が変動しても、これらの変動に過不足なく対応する換気性能を確保することができない。
【０００６】
すなわち、前記従来のニット帽１０は、その換気性能が不変であることにより、発汗条件が基準範囲よりも高くなると換気不足になって頭部に蒸れやべた付きなどが起こり、基準範囲よりも低くなると換気過剰になって寒さを体感させる。
【先行技術文献】
【特許文献】
【０００７】
【特許文献１】実用新案登録第３１５９６６４号
【考案の概要】
【考案が解決しようとする課題】
【０００８】
本考案は、上記の実情に鑑みてなされたもので、発汗条件の変動に過不足なく対応する換気性能の確保が可能なニット帽の提供を目的とするものである。
【課題を解決するための手段】
【０００９】
前記目的を達成するために、本考案に係るニット帽は、内ニット帽と、この内ニット帽に被さる外ニット帽と、を有し、前記各ニット帽を互いの頂点で縦軸まわりの相対回動自在に連結する連結手段と、前記各ニット帽それぞれの頭頂部の一部に設けた換気口からなるベンチレータと、を備え、このベンチレータは、前記各ニット帽の縦軸まわりの相対回動で開閉するように構成されてなることを特徴とするものである。
【００１０】
前記構成のニット帽によれば、発汗条件の変動に応じて、外ニット帽と内ニット帽とを縦軸まわりに相対回動してベンチレータの開度を調節することで、発汗条件の変動に過不足なく対応する換気性能を確保できる。これにより、換気不足による頭部の蒸れやべた付き、或いは換気過剰による寒さの体感などを避けることが可能となる。
【００１１】
本考案に係るニット帽において、前記連結手段に含まれる連結部材は、内ニット帽の頂点に固着された下側連結部材と、外ニット帽の頂点に固着された上側連結部材と、からなり、これらの連結部材は、互いの合体・分離が可能に構成されている。これによると、下側連結部材と上側連結部材とを互いに合体すると、内ニット帽に外ニット帽が被さった二重構造で防寒機能の高いニット帽が構成され、かつベンチレータの開度調節により、発汗条件の変動に過不足なく対応する換気性能を確保できる。
【００１２】
ここで、上下の連結部材を互いに分離すれば、内外のニット帽を各別に着用できる。よって、内外ニット帽の一方を薄手に、他方を厚手にすれば、気温に応じて内外いずれか一方のニット帽を選択して着用できるので着用感がよくなる。また、色や柄などを内外のニット帽で各別にすれば、好みに応じて内外いずれか一方のニット帽を選択して着用できる。さらに、外ニット帽に、例えば、カシミヤなどの高級素材が使用されていると洗濯不向きとなる。しかし、内ニット帽を洗濯してしつこい汚れや匂いを除去できる。
【００１３】
前記下側連結部材と上側連結部材は、上下の位置を互いに反転した合体・分離が可能に構成されている。これによれば、内ニット帽に外ニット帽が被さった二重構造で防寒機能の高い第１形態と、外ニット帽に内ニット帽が被さった二重構造で防寒機能の高い第２形態との、二つの形態の構成が可能となり、色や柄などを内外のニット帽で各別にすれば、好みに応じて第１形態或いは第２形態を選択して着用できる。
【００１４】
本考案に係るニット帽は、前記外ニット帽と内ニット帽とに振り分けて設けた位置決め用目印により、ベンチレータの開度表示装置が構成されている。これによると、部品点数が少なく構造が簡素な開度表示装置でありながら、ベンチレータの最大開度と最小開度は、各ニット帽の縦軸まわりの相対回動に伴う各位置決め用目印どうしが内外方向での互いに重なった状態に変換したり、各位置決め用目印どうしが周方向に最大の間隔で離間した状態に変換して表示することが可能であるとともに、ベンチレータの最大開度と最小開度の間の開度は、各位置決め用目印の周方向の互いの間隔の大きさに変換して表示する。したがって、着用者は、各位置決め用目印の目視によりベンチレータの開度を把握できるので、発汗条件の変動に過不足なく対応し得る換気性能の確保が容易となる。
【考案の効果】
【００１５】
本考案に係るニット帽によれば、発汗条件の変動に応じて、内ニット帽と外ニット帽とを縦軸まわりで相対回動してベンチレータの開度を調節することで、発汗条件の変動に過不足なく対応する換気性能を確保できる。これにより、換気不足による頭部の蒸れやべた付き、或いは換気過剰による寒さの体感などを避けることが可能となる。
【図面の簡単な説明】
【００１６】
【図１】本考案に係るニット帽の一実施形態を正面から見た半截断面図である。
【図２】図１のニット帽の内外を分離して示す平面図であり、（ａ）は外ニット帽の平面図、（ｂ）は内ニット帽の平面図である。
【図３】着用前段の内外ニット帽それぞれの頭頂部の一実施形態を展開して縮小して示す説明図であり、（ａ）は外ニット帽頭頂部の展開説明図、（ｂ）は内ニット帽頭頂部の展開説明図である。
【図４】着用状態での内外ニット帽それぞれの頭頂部の一実施形態を展開して縮小して示す説明図であり、（ａ）はベンチレータ全開時の展開説明図、（ｂ）はベンチレータ全閉時の展開説明図である。
【図５】連結手段に含まれる連結部材の実施形態を示す拡大断面図であり、（ａ）は下側連結部材と上側連結部材との合体状態の拡大断面図、（ｂ）は分離状態の拡大断面図である。
【図６】連結手段に含まれる連結部材の他の実施形態を示す拡大断面図であり、（ａ）は下側連結部材と上側連結部材との合体状態の拡大断面図、（ｂ）は分離状態の拡大断面図、（ｃ）は下側連結部材と上側連結部材との合体状態の変換例を示す拡大断面図である。
【図７】ベンチレータ開度装置の一実施形態を示す説明図であり、（ａ）はベンチレータの全閉状態を図１のＶＩＩ−ＶＩＩ線から見て部分的に示す拡大平面図、（ｂ）は（ａ）の正面図、（ｃ）はベンチレータの全開状態を図１のＶＩＩ−ＶＩＩ線から見て部分的に示す拡大平面図である。
【図８】従来例の斜視図である。
【考案を実施するための最良の形態】
【００１７】
以下、本考案に係るニット帽の好ましい実施形態を図面に基づいて説明する。図１は本考案に係るニット帽の一実施形態を正面から見た半截断面図、図２はニット帽の内外を分離して示す平面図であり、（ａ）は外ニット帽の平面面図、（ｂ）は内ニット帽の平面図、図３は着用前段の内外ニット帽それぞれの頭頂部の一実施形態を展開して縮小して示す説明図であり、（ａ）は外ニット帽頭頂部の展開説明図、（ｂ）は内ニット帽頭頂部の展開説明図、図４は着用状態での内外ニット帽それぞれの頭頂部の一実施形態を展開して縮小して示す説明図であり、（ａ）はベンチレータ全開時の展開説明図、（ｂ）はベンチレータ全閉時の展開説明図、図５は連結手段に含まれる連結部材の実施形態を示す拡大断面図であり、（ａ）は下側連結部材と上側連結部材との合体状態の拡大断面図、（ｂ）は分離状態の拡大断面図、図６は連結手段に含まれる連結部材の他の実施形態を示す拡大断面図であり、（ａ）は下側連結部材と上側連結部材との合体状態の拡大断面図、（ｂ）は分離状態の拡大断面図、（ｃ）は下側連結部材と上側連結部材との合体状態の変換例を示す拡大断面図、図７はベンチレータ開度装置の一実施形態を示す説明図であり、（ａ）はベンチレータの全閉状態を図１のＶＩＩーＶＩＩ線から見て部分的に示す拡大平面図、（ｂ）は（ａ）の正面図、（ｃ）はベンチレータの全開状態を図１のＶＩＩーＶＩＩ線から見て部分的に示す拡大平面図である。
【００１８】
図１、図２（ａ），（ｂ）において、ニット帽１は、外ニット帽２と、内ニット帽３とを備え、内ニット帽３に外ニット帽２を被せてニット帽１が構成される。外ニット帽２における後述する頭頂部の頂点と内ニット帽３における後述する頭頂部の頂点は、連結手段４により縦軸Ｃまわりの相対回動自在に互いに連結されている。つまり、外ニット帽２と内ニット帽３は、縦軸Ｃまわりの相対回動自在となる。本実施形態の連結手段４として、スナップボタン、ホック、短寸の紐などが採用できる。
【００１９】
外ニット帽２と内ニット帽３は、それぞれ下段の裾リブ編み層５と、その上側に連設された中段のガータ編み層６と、その上側にさらに連設された上段の頭頂部７とを備える。
【００２０】
図１，図２（ａ）に示すように、外ニット帽２の頭頂部７は、三つの模様編み域７Ａ１と三つのメリヤス編み域７Ｂ１が周方向で交互に隣接して配置され、図１，図２（ｂ）に示すように、内ニット帽３の頭頂部７は、三つの模様編み域７Ａ２と三つのメリヤス編み域７Ｂ２が周方向で交互に隣接して配置されている。なお、ニット帽１の着用前段では、着用者の頭部が内ニット帽３に干渉しないので自然状態を呈する。これにより、図３（ａ），（ｂ）の展開説明図で示すように、内ニット帽３の頭頂部７は外ニット帽２の頭頂部７よりも僅かに小さい略相似となる。その一方、ニット帽１の着用状態では、着用者の頭部が内ニット帽３に干渉して、内ニット帽３に僅かな膨らみが生じるので、図４（ａ），（ｂ）の展開説明図で示すように、内ニット帽３の頭頂部７と外ニット帽２の頭頂部７は略合同となる。
【００２１】
外ニット帽２の頭頂部７における三つの模様編み域７Ａ１には、それぞれ上下左右に粗い間隔を隔てて多数の縦長菱形換気口８ａ１が設けられ、内ニット帽３の頭頂部７における三つの模様編み域７Ａ２には、それぞれ上下左右に粗い間隔を隔てて多数の縦長菱形換気口８ａ２が設けられており、外ニット帽２の多数の換気口８ａ１と、内ニット帽３の多数の換気口８ａ２とペアでベンチレータ８を構成している。ここで、多数の縦長菱形換気口８ａ１の位置を決める上下左右の粗い間隔と、多数の縦長菱形換気口８ａ２の位置を決める上下左右の粗い間隔は、ニット帽１の着用状態で互いに等しくなる。なお、前記裾リブ編み層５と、ガータ編み層６および頭頂部７は、無縫製構造の横編みニットにより連続して編みあげられている。無縫製構造の横編みニットの連続した編みあげは、ホールガーメント（株式会社島精機製作所の登録商標）で縫製できる。また、ニット帽１の用途に合った、機能性（保温機能や抗菌機能）の糸によって編みあげることにより、ニット帽１に対して用途にあった特定の機能を付与することができる。
【００２２】
前記構成のニット帽１によれば、発汗条件の変動に応じて、外ニット帽２と内ニット帽３とを縦軸Ｃまわりに相対回動して、ベンチレータ８の開度を調節することで、発汗条件の変動に過不足なく対応する換気性能を確保できる。これにより、換気不足による頭部の蒸れやべた付き、或いは換気過剰による寒さの体感などを避けることが可能となる。
【００２３】
ベンチレータ８は、図４（ａ）に示すように、外ニット帽２における三つの模様編み域７Ａ１と内ニット帽３における三つの模様編み域７Ａ２とが内外で互いに合致して重なり、かつ三つの模様編み域７Ａ１の多数の換気口８ａ１と三つの模様編み域７Ａ２の多数の換気口８ａ２どうしが内外で互いに合致して重なるとともに、外ニット帽２における三つのメリヤス編み域７Ｂ１と内ニット帽３における三つのメリヤス編み域７Ｂ２とが内外で互いに合致して重なることで最大開度となり、ここから各ニット帽２，３の縦軸Ｃ（図１参照）まわりの相対回動（本実施形態における相対回動角度は６０度）で、図４（ｂ）に示すように、外ニット帽２の三つの模様編み域７Ａ１の裏側に内ニット帽３の三つのメリヤス編み域７Ｂ２が合致して重なると、外ニット帽２の三つの模様編み域７Ａ１の多数の換気口８ａ１が内ニット帽３の三つのメリヤス編み域７Ｂ２で内側から塞がれ、かつ内ニット帽３の三つの模様編み域７Ａ２の多数の換気口８ａ２が外ニット帽２の三つのメリヤス編み域７Ｂ１で前側から塞がれた最小開度となる。しかも、各ニット帽２，３の縦軸Ｃまわりの相対回角度の加減により、ベンチレータ８の開度を前記最大開度から最小開度の範囲内の任意の開度に調節できるので、発汗条件の変動に過不足なく対応する換気性能を確保して、換気不足による頭部の蒸れやべた付き、或いは換気過剰による寒さの体感などを避けることが可能となる。
【００２４】
次に、前記連結手段４に含まれる連結部材の実施形態について説明する。
図５（ａ），（ｂ）に示すように、連結部材４０は、樹脂の成形体からなり、内ニット帽３の頂点に上向きに固着された下側連結部材４１と、外ニット帽２の頂点に下向きに固着されて下側連結部材４１の上に重ねられる上側連結部材４２と、を備え、これら連結部材４１，４２は、図５（ａ）のような互いの合体と、図５（ｂ）のような互いの分離が可能であるとともに、図５（ａ）のような互いの合体状態で縦軸Ｃまわりの相対回動自在に構成されている。
【００２５】
図５（ｂ）において、下側連結部材４１は、上位の第１部材４１Ａと、下位の第２部材４１Ｂおよび締結用の皿ビス４１Ｃとを備え、第１部材４１Ａは、円盤状のもので、その中央部に外嵌用凹部４１ａ１が上向きに備わり、外嵌用凹部４１ａ１の中心部に透孔４１ａ２を設けてある。第２部材４１Ｂは、下端部に設けたフランジ状押圧片４１ｂ１の上面にボス４１ｂ２が上向きに備わり、ボス４１ｂ２の中心部にねじ孔４１ｂ３を設けてある。したがって、第２部材４１Ｂのボス４１ｂ２を、内ニット帽３の頂点に下側から挿通し、フランジ状押圧片４１ｂ１の上面を内ニット帽３の頂点付近の下面に当接し、つぎに、第１部材４１Ａの下面を内ニット帽３の頂点付近の上面に当接して、透孔４１ａ２とねじ孔４１ｂ３とを連通させて、皿ビス４１Ｃを透孔４１ａ２側からねじ孔４１ｂ３にねじ込んで締結することにより、第１部材４１Ａとフランジ状押圧片４１ｂ１とで内ニット帽３の頂点付近を強固に挟着した状態で、下側連結部材４１が内ニット帽３の頂点に上向きで固着される。
【００２６】
図５（ｂ）において、上側連結部材４２は、上位の第１部材４２Ａと、下位の第２部材４２Ｂおよび締結用の皿ビス４２Ｃとを備え、第１部材４２Ａは、上端部に設けたフランジ状押圧片４２ａ１の下面にボス４２ａ２が下向きに備わり、ボス４２ａ２の中心部にねじ孔４２ａ３を設けてある。第２部材４２Ｂは、上端部に設けたフランジ状押圧片４２ｂ１の下面に円形環状の嵌合用ボス４２ｂ２が下向きに備わり、フランジ状押圧片４２ｂ１の中心部に透孔４２ｂ３を設けてある。したがって、第１部材４２Ａのボス４２ａ２を、外ニット帽２の頂点に上側から挿通し、フランジ状押圧片４２ａ１の下面を外ニット帽２の頂点付近の上面に当接し、つぎに、第２部材４２Ｂのフランジ状押圧片４２ｂ１の上面を外ニット帽２の頂点付近の下面に当接して、透孔４２ｂ３とねじ孔４ａ３とを連通させて、皿ビス４２Ｃを透孔４２ｂ３側からねじ孔４２ａ３にねじ込んで締結することにより、フランジ状押圧片４２ａ１とフランジ状押圧片４２ｂ１とで外ニット帽２の頂点付近を強固に挟着した状態で、上側連結部材４２が外ニット帽２の頂点に下向きで固着される。
【００２７】
下側連結部材４１の第１部材４１Ａに備わる外嵌用凹部４１ａ１と、上側連結部材４２の第２部材４２Ｂに備わる円形環状の嵌合用ボス４２ｂ２とは、着脱可能な関係性を有しており、図５（ａ）に示すように、これら４１ａ１、４２ｂ２の嵌合で互いに合体した下側連結部材４１と上側連結部材４２との縦軸Ｃ（図１参照）まわりの相対回動自在な構成が保持され、かつ矢印Ｆ１，Ｆ２で示す方向の引っ張り力を負荷すると、下側連結部材４１と上側連結部材４２とを互いに分離（図５（ｂ）参照）する。
【００２８】
図５（ａ）のように、下側連結部材４１と上側連結部材４２とを互いに合体すると、内ニット帽３に外ニット帽２が被さった二重構造で防寒機能の高いニット帽１が構成され、かつベンチレータ８（ただし、図５（ａ）には図示していない）の開度調節により、発汗条件の変動に過不足なく対応する換気性能を確保することができる。ここで、各連結部材４１，４２を、図５（ｂ）のように互いに分離すれば、外ニット帽２と内ニット帽３を各別に着用できる。よって、各ニット帽２，３の一方を薄手に、他方を厚手にすれば、気温に応じていずれか一方の外ニット帽２または内ニット帽３を選択して着用できるので着用感がよくなる。また、色や柄などを各ニット帽２，３で各別なものにすれば、好みに応じていずれか一方の外ニット帽２または内ニット帽３を着用することもできる。さらに、外ニット帽２に、例えば、カシミヤなどの高級素材が使用されていると洗濯不向きとなる。しかし、内ニット帽３を洗濯してしつこい汚れや匂いを除去できる。
【００２９】
また、本考案に係るニット帽１は、無縫製構造の横編みニットにより連続して編みあげられており、縫製部分が存在せず、縫製によって生じる縫い目が無いことから、内ニット帽３に外ニット帽２が被さった二重構造で構成されていても、縫い目が気になることがないことは無論のこと、縫い目が重なってじゃまとなることや、縫い目が内ニット帽３に外ニット帽２の相対回動の抵抗となったりすることが無い。
【００３０】
次に、連結手段４に含まれる連結部材４０の他の実施形態を図６（ａ），（ｂ），（ｃ）に基づいて説明する。なお、図５（ａ），（ｂ）で説明した連結部材４０と同一または相当部分には、同一符号を付して、重複する構造の説明と作用の説明は省略する。
【００３１】
図６（ａ），（ｂ），（ｃ）に示す連結部材４０と、図５（ａ），（ｂ）で説明した連結部材４０との相違点は、図６（ａ），（ｂ），（ｃ）において、下側連結部材４１における下位の第２部材４１Ｂのフランジ状押圧片４１ｂ１の肉厚を厚くして、その中央部に下向きの外嵌用凹部４１ｂ４が設けられ、かつ、上側連結部材４２における上位の第１部材４２Ａのフランジ状押圧片４２ａ１の上面に円形環状の嵌用ボス４２ａ４が上向きに備わっているとともに、上側連結部材４２における下位の第２部材４２Ｂのフランジ状押圧片４２ｂ１の肉厚を厚くして、その中央部に下向きの外嵌用凹部４１ｂ５を設けた点である。
【００３２】
このように、下側連結部材４１と上側連結部材４２との上下の位置を互いに反転した合体・分離が可能な構成の連結部材４０であると、図６（ａ）のように、内ニット帽３に外ニット帽２が被さった二重構造で防寒機能の高い第１形態と、図６（ｃ）のように、外ニット帽２に内ニット帽３が被さった二重構造で防寒機能の高い第２形態との、二つの形態の構成が可能となり、色や柄などを内外ニット帽３，２で各別にすれば、好みに応じて第１形態或いは第２形態を選択して着用できる。
【００３３】
図７（ａ），（ｂ），（ｃ）に示すように、ベンチレータの開度表示装置９は、外ニット帽２に縫着９ａにより設けた一方の位置決め用目印であるピスネーム９Ａと、内ニット帽３に縫着９ｂにより設けた他方の位置決め用目印であるピスネーム９Ｂとで構成されている。言い換えると、外ニット帽２と内ニット帽３とに振り分けて設けたピスネーム９Ａ，９Ｂにより、ベンチレータの開度表示装置９が構成されている。これによると、部品点数が少なく構造が簡素な開度表示装置９でありながら、図４（ａ）に示すベンチレータ８の最大開度は、例えば、図７（ａ），（ｂ）に示すように、各ピスネーム９Ａ，９Ｂが周方向で互いに最大の間隔で離間した状態に変換して表示したり、図４（ｂ）に示すベンチレータ８の最小開度は、図７（ｃ）に示すように、各ピスネーム９Ａ，９Ｂが内外で重なった周方向の互いの間隔が無い状態に変換して表示するとともに、ベンチレータ８の最大開度と最小開度の間の開度は、各ピスネーム９Ａ，９Ｂの周方向の互いの間隔の大きさに変換して表示する。したがって、着用者は、各ピスネーム９Ａ，９Ｂの目視によりベンチレータ８の開度を把握できるので、発汗条件の変動に過不足なく対応し得る換気性能の確保が容易となる。尚、本実施形態では、位置決め用目印としてピスネーム９Ａ，９Ｂを採用しているが、ピスネーム９Ａ，９Ｂに代えてワッペンや刺繍や柄を位置決め用目印として採用しても良い。
【００３４】
本考案に係るニット帽１は、前記実施形態のみに限定されるものではなく、その趣旨および技術思想を逸脱しない範囲であれば、構造変形が可能である。
【産業上の利用可能性】
【００３５】
本考案のニット帽は、普段の生活での着用、ウォーキングやジョギングに際しての着用或いはスキー、スノーボード、登山等のスポーツに際してヘルメットの下に被るインナーキャップとしての着用等に有用である。
【符号の説明】
【００３６】
１  ニット帽
２  外ニット帽
３  内ニット帽
４  連結手段
４０  連結部材
４１  下側連結部材
４２  上側連結部材
７  頭頂部
８  ベンチレータ
９Ａ  一方のピスネーム
９Ｂ  他方のピスネーム
Ｃ  縦軸線
【図１】
0003209098.tif 000003
【図２】
0003209098.tif 000004
【図３】
0003209098.tif 000005
【図４】
0003209098.tif 000006
【図５】
0003209098.tif 000007
【図６】
0003209098.tif 000008
【図７】
0003209098.tif 000009
【図８】
0003209098.tif 000010